(57)【要約】【解決手段】  デバイスは、コンクリート柱に要求される幾何学的な形状に対応し、螺旋状曲げ部の数によって構成される。ここで図１はコンクリート柱の長方形のフレームに対するスパイラルネットを示す。螺旋状曲げ部はポイント１からポイント２に１３５度の角度でスタートし、連続的にポイント２からポイント３には９０度の角度で螺旋状曲げで、コンクリート柱の側面に沿ってすすみ、そしてポイント３からポイント４へは同じコンクリーと柱の隣接する面に沿い、ポイント４からポイント５には同じコンクリートの次の隣接側面に、そしてポイント５からポイント６は連続的に同じ柱の隣接側面に、そして最後はポイント６からポイント７に１３５度の螺旋状曲げで終了する。
2005533202.tif 000002
【特許請求の範囲】
【請求項１】
１３５度の角度の先頭曲げ部（Ｔｓ）と、それに続き螺旋形状でそれぞれ個々のコンクリート柱の幾何学的形状に対応して沿った複数の曲げ部と、完全な環状をなし、１３５度の角度の終了曲げ部（Ｔｅ）とを有するスパイラルネット。
【請求項２】
“ｓ”は３以上の整数であり、“ｓ”回の曲げ部を有する上記曲げ部であり、同様に繰り返し“ｓ”面の形状を有する補助ケージ組み立てのそれぞれ個々の部品を形成する曲げ部を有する請求項１記載のスパイラルネット。
【請求項３】
Ｓｈ、Ｓｗと“ｓ”面の数とによって決められる上り角Ｑを示す請求項１および２に記載のスパイラルネット。
【請求項４】
螺旋形状はそれぞれ個々の柱に対して幾何学形状を保持せず、主要な補強ロッドからの負荷を共有する為の支持を提供することにもなっていない請求項１，２および３に記載のスパイラルネット。
【請求項５】
スターラップ（stirrup）の実際の直径を増加させることは、主要な補強ロッド以下、又はそれを越えるいかなる測定値においても、主要な補強ロッドからの負荷部分を取り除くこととなる請求項１，２、３および４に記載のスパイラルネット。
【請求項６】
主要な補強ロッドから負荷を取ることにより、柱自身の大きさを増加することなく柱の強度を増加することとなる請求項１から５に記載のスパイラルネット。
【請求項７】
どのような金属、もしくはプラスチック材料でさえ材料と出来る請求項１から６に記載のスパイラルネット。
【請求項８】
どのような形状、長さでも螺旋形状のケージを形成することとなるユニークな組み立てを提供する上記記載の請求項のスパイラルネット。
【請求項９】
どのような螺旋形状ケージでもプレハブ（事前組み立て式）で作成、もしくは現場で組み立て可能な請求項１から８に記載のスパイラルネット。
【請求項１０】
添付図面に一致し十分に記載されているスパイラルネット。
【発明の詳細な説明】
【技術分野】
【０００１】
本発明の補強ワイヤは、建設産業で補強製品として利用されるコンクリートの柱構造の内部で、鉄筋を最適化するよう設計されている補強に関するものである。
【背景技術】
【０００２】
長年、建設産業は、コンクリートの柱を補強するために近接した補強バーを垂直に連結するために補強ワイヤを設置していた。
【発明の開示】
【発明が解決しようとする課題】
【０００３】
近年の１０年では、円柱形の鉄筋コンクリート柱に対し、改良は、シングル補強ワイヤを、螺旋状に形づくられたワイヤに置き換えることによりなされた。結果として、有意改良は、この新しい構造を有する補強製品でなされた。しかしながら、全ての多角形形状のコンクリート柱（例えば長方形、五角形、六角形、その他）では未だ注目するほど変わってはいない。
【課題を解決するための手段】
【０００４】
この問題は、本発明で解決される。ここで本発明とは、同じ材料で出来ている垂直に結合されたワイヤの代わりに、コンクリート柱の内部のスチールバー補強に対し、螺旋形状ワイヤを提供するものである。該発明は、コンクリート柱の補強に対し、長方形、変形長方形、五角形、変形五角形、六角形、変形六角形、四角形、および円柱形の一連の形状を有する。
【発明を実施するための最良の形態】
【０００５】
柱内のスチールバーの数にかかわらず、該発明は各々の柱のそれぞれの設計を補うためにいくつかの異なる形の螺旋構造を介して補強を提供する。同じように、補強ワイヤの形を変えることによって、該発明は、スチールバーのどんな数にでも適合させることができる。
【０００６】
スパイラッルネットは、スチール、スチールに似た材料、またはプラスチックでさえ作成が可能である。発明を理解する助けとして、リファレンスは発明の例を示す添付図面に提供される。
【０００７】
図面について  
図1に、4本のスチールバーを有し四辺形に形づくられたコンクリート柱に対するシングルスパイラルネットがどのようなものか例を示す。  
図11は、実施形態における図1の環状の上面図を示す。  
図2は、4本のスチールバーを有するスパイラルネットが四辺形に形づくられたコンクリート柱にどのように設置されているかの例を示す。  
図21は、よりわかりやすく記述するため、数の代わりに文字を用いてエンジニアリングスタイルの図面を示す。  
図1は製造位置からのもので、スパイラルネットを形成するため１から７の数は曲り部の１つの環状を表し、そして、Ａ，Ｂ，Ｃ、Ｄはコンクリート柱内で平行に置かれたスチールバーの４つの位置を表す。  
図１．１は、組み立て位置からのシングルレイアウトを示す。  
図１の中のポイント１から２の長さは図２１の長さ“Ｔｓ”を表し、曲げ作業中の工作機械のアクセスに対し十分な長さを提供することと、より強さを達成するため隣接する結束から１３５度を保持することを目的とする。
【０００８】
ポイント数２の位置はスパイラルネットの最初の側面曲り部を表す。そして、ポイント数３の位置は最初の曲り部から連続的に第2側面曲り部を表す。そして、ポイント数４は第２曲り部から連続的に第３の側面曲り部を表す。そして、ポイント数５は第３の曲り部から連続的に第４の側面曲り部を表す。そして、ポイント数６は１つのスパイラルで第４の曲り部から連続的に最後の曲り部を表す。図１のポイント６から７への長さは図２１で長さ“Ｔｅ”を表す。そして、それはポイント１から２への長さと同じファンクションを持つ。
【０００９】
図２１で示すように、完全な螺旋形のワイヤネットのためにスパイラルネットを組み立てる時、ポイント１から２と、ポイント６から７への両方の長さは、より良い位置決めの為のファンクションを提供する。ポイント２から３、ポイント４から５への長さは、図２１の長さ“Ｓｗ”を表し、そしてポイント３から４とポイント５から６の長さは図２１の“Ｓｈ“を表す。
【００１０】
図２はスパイラルネットが、４本のバーを有するコンクリート柱の部分に螺旋形のワイヤネット形成する為に、４つの構成材が一緒に、どのように組み立てられるかを示す。そして図２．１は一例としてスタンディング・ポジションで組み立てられたスパイラルネットを示す。水平レイアウトは製造位置を示す。そして、垂直レイアウトは組み立て位置を示す。
【００１１】
図２で、記述される文字の全ての意味は、次に記載する。  
Ｌ      完全に組み立てられた螺旋形ワイヤネットの全長。
【００１２】
Ｗ      組み立てられた螺旋形ワイヤネットの幅、図２１で「Ｗ」で表す。
【００１３】
Ｈ      組み立てられた螺旋形ワイヤネットの高さ、図２１で「Ｈ」を表す。
【００１４】
Ｐ      組み立てで繰り返すスパイラルネット位置での各開始点のピッチ。
【００１５】
Ｇ      スパイラルネットの終端位置から、スパイラルネットの次の開始点の間のギャップ。      Ｇ＝Ｐ-Ｐｂ
図１に対応し、“Ｗ”はラインＡＢとラインＣＤの間隔を表し、ＨはラインＡＤとラインＢＣの間隔を表す。
【００１６】
図２１は、全てのファクターがこの発明でどのように互いに関連があるかについて示すためにエンジニアリングスタイルの図面を示す。全てのファクターの決定は、以下で与えられる。  
Ｗ      曲げの後のワイヤの両側面の中心距離は、スパイラルネットの幅を表す。それは、コンクリート柱の現在の標準幅によって選ぶことができる。  
Ｈ      曲げの後の上部と底部のワイヤ間の中心距離、スパイラルネットの高さを表す。それは、幅と同じ方法で選ぶことができる。  
Ｐｂ      最初の曲り部から同じバーの最後の曲り部へのスパイラルネットのピッチ。それは、次式で計算することができる。
【数１】
2005533202.tif 000003
【００１７】
Ｔｓ      曲げ作業に対する開始点での工作機械のアクセス。それは次式で与えられる。  
Ｔｓ＝Ｔｏｏｌｉｎｇ  ａｃｃｅｓｓ  ｌｅｎｇｔｈ＋Ｒ  
Ｔｅ      曲げ作業に対する終了点での工作機械のアクセス。それは次式で与えられる。  
Ｔｅ＝Ｔｏｏｌｉｎｇ  ａｃｃｅｓｓ  ｌｅｎｇｔｈ＋Ｒ  
Ｒ      曲げ半径は工作機械によって決められ、それはスチールバーの半径より小さいレンジである。  
Ｓｈ      Ｓｈ＝Ｈ／ｃｏｓＱ  は高さの側面長さを決定する。  
Ｓｗ      Ｓｗ＝Ｗ／ｃｏｓＱ  は幅の側面長さを決定する。  
Ｑ      上り角であり、側面が等しい柱の時、下記で提供される式によって計算すことが出来る。  
【数２】
2005533202.tif 000004
【００１８】
Ｐｓは、オーストラリアの標準に従う既存の柱の標準ピッチである。  
Ｎｓは１つのコンクリート柱の側面の数を表す。そして、この例として４側面を有し、４本のスチールバーを示す。ここでＷ＝Ｈ。
【００１９】
柱の等しくない側面断面図の場合の決定手順で、より長い側面が、Ｈとして上記の公式で使われる。しかし、図４にもＷ＜Ｈのケースとして、等しくない側面スパイラルネットのレイアウトを示す。このケースで、Ｑを計算するためＨが上記の式でＷに置換する。上の同じ式でＷ＝Ｈの時は、Ｗは同じとして残る。たとえば、図４は６本のスチールバーを有する長方形のスパイラルネットダブルレイアウトを示す。角度Ｑを導くために上記の式を用い、ＨをＷに置き換える。一般に、上面図を通して図１１で示されるように、四辺形で形づくられた柱で、スパイラルネットは多くの異なるレイアウトを持つ。
【００２０】
ドローイング０１，ドローイング０２，ドローイング０５，そしてドローイング０６に示されるシングルレイアウトは図２．１に関連する。図１１のドローイング０３で示されるダブルレイアウトは、図２．２または図２．３に関連する。
【００２１】
図１１のドローイング０４、ドローイング０７、ドローイング０８と図１２のドローイング０９、ドローイング１０、ドローイング１１に示される複数レイアウトは、図３、図４、図５、図６、図７、図８、図９と図１０に関連する。
【００２２】
スチールバーの数が６本より少なくない時だけ用いるダブルレイアウトは、図４の６本のスチールバーと８本のスチールバーのレイアウトを示す。
【００２３】
ダブル・レイアウトは、より強い全体の補強ワイヤネットを作ることを目的とする。図２．３は、製造位置からシングル・レイアウトとダブル・レイアウトの間の６本のスチールバーの寸法の変化量、スパイラルネットの高さを示す。“Ｈｄ”は全体の柱の高さを表す。そして“Ｈ”スパイラッルネットの高さを表す。このケースにおいて“Ｈ”は常に“Ｗ”より小さい。図２．３も、一部のスパイラルネットが６本のスチールバーを有する柱の製造位置からどのように組み立てられるかを示す。
【００２４】
複数レイアウトのスパイラルネット柱を組み立てるために、細部は図２０に示す。ドローイング１７の柱の底部には、スパイラルネットの最初の組み立てられたレベルを示す。上部には、組み立ての第２レベルの最初のスパイラルネット構成材を示す。スパイラルネットはバー４，バー１そしてバー２を通り抜け、そして、挿入するために第２レベルの第２スパイラルネット構成材のために停止する。
【００２５】
ドローイング１８は第二のレベルの第二スパイラルネット構成材がバー４、バー３とバー５を通り抜けて、挿入するために同じレベルの第３のスパイラルネット構成材のために停止する。  
ドローイング１９は第３のスパイラルネット構成材がバー５、バー６とバー８を通り抜けて、挿入するために第４のスパイラルネット構成材のために停止し、同じレベルの第一のスパイラルネット構成材はバー３を含むすべてのバーを通り抜ける。
【００２６】
ドローイング２０は、バー８，バー７，バー９そしてバー１０を通り抜けた第４のスパイラルネット構成材を示す。隔たった第２スパイラルネット構成材がバー６を通り抜け、第３のスパイラルネット構成材はバー７を通り抜け、そして、ドローイングで示されるように、第２レベルの全てのスパイラルネット構成材は１から１０まで全てのバーを通り抜ける。全部のレベルのスパイラルネットが、柱の底部で第１のレベルに隣接する。柱の全て長さがいっぱいになるまで、組み立て工程は続ける。この手順は、図１１と図１２で示されるどんな特別な形の柱でも組み立てるのに用いることができる。
【００２７】
同じように、図１３に関係した図１９のドローイング１２，ドローイング１３は環状形状のスパイラルネットを示し、図１４は柱のその組み立てを示す。図１５と関連する図１９のドローイング１４は、五角形スパイラルネットを示し、そして図１６は柱のその組み立て示す。図１７と関連する図１９のドローイング１５は六角形形スパイラルネットを示し、そして、五角形の柱のその組み立てを示す。図１９のドローイング１６は８つのバーを有する多角形レイアウトを示し、それはどんな複数側面多角形でも同じ手順でスパイラルネットを形づくったことを示す。
【００２８】
いくつかのスパイラルネットの使用によって、コンクリート柱は、上記のケースのどれででも全長で組み立てられることができる。
【図面の簡単な説明】
【００２９】
【図１】四辺形内のスパイラルネットのデモンストレーションを示す。
【図１．１】シングルレベル、１レイアウト四辺形４本バーを有する柱を示す。
【図２】四辺形内のスパイラルネットレイアウトを示す。
【図２．１】マルチレベル、１レイアウト四辺形４本バーを有する柱を示す。
【図２．２】８本バーを有する正方形のダブルレイアウトスパイラルネットを示す。
【図２．３】６本バーを有する長方形のダブルレイアウトスパイラルネットを示す。
【図３】シングルレベル、４レイアウト‘Ｉ’形多数本バーを有する柱を示す。
【図４】マルチレベル、４レイアウト‘Ｉ’形多数本バーを有する柱を示す。
【図５】シングルレベル、６レイアウト‘Ｌ’形多数本バーを有する柱を示す。
【図６】マルチレベル、６レイアウト‘Ｌ’形多数本バーを有する柱を示す。
【図７】シングルレベル、６レイアウト‘Ｃ’形多数本バーを有する柱を示す。
【図８】マルチレベル、８レイアウト‘Ｃ’形多数本バーを有する柱を示す。
【図９】シングルレベル、８レイアウト‘Ｚ’形多数本バーを有する柱を示す。
【図１０】マルチレベル、８レイアウト‘Ｚ’形多数本バーを有する柱を示す。
【図１１】四辺形内のスパイラルネットレイアウトを示す。
【図１２】特別形状内のスパイラルネットレイアウトを示す。
【図１３】シングルレベル、シングルレイアウト多数本バーを有する円柱を示す。
【図１４】マルチレベル、シングルレイアウト多数本バーを有する円柱を示す。
【図１５】シングルレベル、シングルレイアウトの５角形柱を示す。
【図１６】マルチレベル、シングルレイアウトの５角形柱を示す。
【図１７】シングルレベル、シングルレイアウトの６角形柱を示す。
【図１８】マルチレベル、シングルレイアウトの６角形柱を示す。
【図１９】多角形柱内のスパイラルネットシングルレイアウトを示す。
【図２０】スパイラルネット組み立て手順を示す。
【図２１】スパイラルネットの詳細図を示す。
【図１】
2005533202.tif 000005
【図１．１】
2005533202.tif 000006
【図２】
2005533202.tif 000007
【図２．１】
2005533202.tif 000008
【図２．２】
2005533202.tif 000009
【図２．３】
2005533202.tif 000010
【図３】
2005533202.tif 000011
【図４】
2005533202.tif 000012
【図５】
2005533202.tif 000013
【図６】
2005533202.tif 000014
【図７】
2005533202.tif 000015
【図８】
2005533202.tif 000016
【図９】
2005533202.tif 000017
【図１０】
2005533202.tif 000018
【図１１】
2005533202.tif 000019
【図１２】
2005533202.tif 000020
【図１３】
2005533202.tif 000021
【図１４】
2005533202.tif 000022
【図１５】
2005533202.tif 000023
【図１６】
2005533202.tif 000024
【図１７】
2005533202.tif 000025
【図１８】
2005533202.tif 000026
【図１９】
2005533202.tif 000027
【図２０】
2005533202.tif 000028
【図２１】
2005533202.tif 000029
【手続補正書】
【提出日】平成15年11月17日(2003.11.17)
【手続補正１】
【補正対象書類名】特許請求の範囲
【補正対象項目名】請求項１
【補正方法】変更
【補正の内容】
【請求項１】
複数の補強バーの周りに張るための補強結束であって、前記結束は、周りに張り、そして沿って移動するシングル螺旋形の回旋を取り入れるために形成された細長い部材から作られ、結束の軸の方向はそれゆえ部材の終端領域は前記結束の軸の方向に間隔をあけて離され、それぞれの終端領域は、回旋の方向から内心に回された末端部分と、前記末端部分が前記回旋に相互接続する曲げ部を含んでおり、ここで前記終端領域は重なり合い、そして前記末端部分も、また半径方向に間隔を開けて前記結束の軸に対し使用のため相対的に離され、前記末端部分は前記軸に対し平行で張られた補強バーの一つを支えることが出来る補強結束。
【手続補正２】
【補正対象書類名】特許請求の範囲
【補正対象項目名】請求項２
【補正方法】変更
【補正の内容】
【請求項２】
細長い部材はメタルワイヤで作られている請求項１記載の補強結束。
【手続補正３】
【補正対象書類名】特許請求の範囲
【補正対象項目名】請求項３
【補正方法】変更
【補正の内容】
【請求項３】
結束の上り角は、細長い部材の全長に沿って、ほぼ一定である請求項１又は２記載の補強結束。
【手続補正４】
【補正対象書類名】特許請求の範囲
【補正対象項目名】請求項４
【補正方法】変更
【補正の内容】
【請求項４】
内心に回された末端部分は、ほぼ、半径方向面に平行で結束軸に対し垂直である上記全ての請求項のいずれか１項記載の補強結束。
【手続補正５】
【補正対象書類名】特許請求の範囲
【補正対象項目名】請求項５
【補正方法】変更
【補正の内容】
【請求項５】
螺旋形の回旋は結束軸に垂直な半径方向面内で一般に環状である上記全ての請求項のいずれか１項記載の補強結束。
【手続補正６】
【補正対象書類名】特許請求の範囲
【補正対象項目名】請求項６
【補正方法】変更
【補正の内容】
【請求項６】
螺旋回旋は、結束軸に垂直な半径方向面内で一般に多角形を形成するように、複数の直線部分と、円弧状曲げ隣接した直線部分の一つと相互接続する円弧状曲げ部分を組み入れている請求項１ないし５のいずれか１項記載の補強結束。
【手続補正７】
【補正対象書類名】特許請求の範囲
【補正対象項目名】請求項７
【補正方法】変更
【補正の内容】
【請求項７】
結束は、末端部分のそれぞれに隣接した直線部分、互いに傾けられた直線部分、そしてその中に半径方向の面内で回旋の内心に回された末端部分を含み、末端部分は一般に、互いに傾いている直線部分の間に形成される角度を二分する線に平行に突き出ている請求項６記載の補強結束。
【手続補正８】
【補正対象書類名】特許請求の範囲
【補正対象項目名】請求項８
【補正方法】変更
【補正の内容】
【請求項８】
直線部分は均一な長さでない請求項６又は７記載の補強結束。
【手続補正９】
【補正対象書類名】明細書
【補正対象項目名】０００１
【補正方法】変更
【補正の内容】
【０００１】
本発明は、建設産業で利用されるコンクリートの柱構造の内部で、鉄筋を最適化するよう設計されている補強に関するものである。
【背景技術】
【手続補正１０】
【補正対象書類名】明細書
【補正対象項目名】０００３
【補正方法】変更
【補正の内容】
【０００３】
近年の１０年では、円柱形の鉄筋コンクリート柱に対し、改良は、シングル補強ワイヤを、形づくられたワイヤに置き換えることによりなされた。結果として、有意改良は、この新しい構造を有する鉄筋製品でなされた。しかしながら、全ての多角形形状のコンクリート柱（例えば長方形、五角形、六角形、その他）では未だ注目するほど変わってはいない。
【課題を解決するための手段】
【手続補正１１】
【補正対象書類名】明細書
【補正対象項目名】０００４
【補正方法】変更
【補正の内容】
【０００４】
第一の態様として、本発明は、複数の補強バーの周りに張るための補強結束を提供するものであり、該結束は、補強バーの周りに張り、補強バーに沿って移動するシングル螺旋形の回旋を取り入れるために形成された細長い部材から作られ、結束の軸の方向はそれゆえ部材の終端領域は該結束の軸の方向に間隔をあけて離され、それぞれの終端領域は、回旋の方向から内心に回された末端部分と、該末端部分が該回旋に相互接続する曲げ部を含んでおり、ここで該終端領域は重なり合い、それ故、該末端部分も、また半径方向に間隔を開けて該結束の軸に対し使用のため相対的に離されて、該末端部分は該軸に対し平行に張られた補強バーの一つを支えることが出来る。
【発明を実施するための最良の形態】
【手続補正１２】
【補正対象書類名】明細書
【補正対象項目名】０００５
【補正方法】変更
【補正の内容】
【０００５】
一つの実施態様として、補強結束の上り角は、細長い該部材の全部の長さに沿ってほぼ一定である。
さらに、望ましくは該末端部分は、それらが、該軸に対し垂直な半径方向の面内で、ほぼ平行であるように内心に回される。
一つのフォームで螺旋回旋は複数の直線部分と、円弧状曲げ隣接した直線部分の一つと相互接続する円弧状曲げ部分を組み入れる。この配置で、半径方向の面内で、補強は多角形である。直線部分の数と円弧状曲げ部の角度に依存し、補強は、半径方向の面内において、長方形、変形長方形、五角形、変形五角形、六角形、変形六角形、又は四角形にすることが出来る。
一つのフォームで、該結束は、末端部分のそれぞれに隣接した直線部分、互いに傾けられた直線部分、そしてその中に半径方向の面内で該回旋の内心に回された末端部分を含み、該末端部分は一般に、互いに傾いている直線部分の間に形成される角度を二分する線に平行に突き出る。上で記述されるフォームの補強結束は、補強ネットをつくるのに用いることが出来る。
一つのフォームとして、この補強ネットは複数の補強バーに沿って設置された複数の該補強結束から形成される。
一つのフォームで、それぞれの結束は、一つの結束の終端領域が他の隣接する結束の終端領域と重なり合って、複数の補強バーの周りに張られる。
重なり合う終端領域は、重なっている終端領域の末端部分の間に設置された補強バーの一つとかみ合う。上記の配置において望ましくは、重なり合う終端領域は他のもう一つとかみ合う。
もう一つのフォームで、補強ネットは、複数の補強バーの異なるサブセットのまわりに張られる補強結束と一緒に、並んで結束を配置することによりつくられる。
隣接した結束は、それらと関連するサブセットとその中の補強結束に対するものの両方に共通の補強バーの周りに張るために配置され、補強結束の一つに対する該終端領域は、補強バーに沿って間隔が開けられた結束の終端領域を有するそれぞれの複数の補強バーの一つとかみ合う。
他の隣接した結束は隣接する結束の終端領域の間で同じ補強バーをかみ合う。
柱内のスチールバーの数にかかわらず、該発明は各々の柱のそれぞれの設計を補うためにいくつかの異なる形の螺旋構造を介して補強を提供する。同じように、補強ワイヤの形を変えることによって、該発明は、スチールバーのどんな数にでも適合させることができる。
【手続補正１３】
【補正対象書類名】明細書
【補正対象項目名】０００６
【補正方法】変更
【補正の内容】
【０００６】
補強結束は、スチール、スチールに似た材料、またはプラスチックでさえ作成が可能である。発明を理解する助けとして、発明の例を示す添付図面に、リファレンスは提供される。
【手続補正１４】
【補正対象書類名】明細書
【補正対象項目名】０００７
【補正方法】変更
【補正の内容】
【０００７】
図面について
図1は、4本のスチールバーを有し四辺形に形づくられたコンクリート柱に関する補強結束の例を示す。
図11は、図1の環状の上面図を示す。
図2は、4本のスチールバーを有する補強結束が四辺形に形づくられたコンクリート柱にどのように設置されているかの例を示す。
図21は、よりわかりやすく記述するため、数の代わりに文字を用いてエンジニアリングスタイルの図面を示す。
図1は製造位置からのもので、１から７への数は曲り部の１つの環状が補強結束（以下に、スパイラルネットとして言及した）をつくることを表し、そして、Ａ，Ｂ，Ｃ、Ｄはコンクリート柱内で平行に置かれたスチールバーの４つの位置を表す。
図１．１は、組み立て位置からのシングルレイアウトを示す。  
図１の中のポイント１から２の長さは図２１の長さ“Ｔｓ”を表し、曲げ作業中の工作機械のアクセスに対し十分な長さを提供することと、より強さを達成するため隣接する結束から１３５度を保持することを目的とする。


【手続補正書】
【提出日】平成15年12月3日(2003.12.3)
【手続補正１】
【補正対象書類名】特許請求の範囲
【補正対象項目名】全文
【補正方法】変更
【補正の内容】
【特許請求の範囲】
【請求項１】
複数の補強バーの周りに張るための補強結束であって、前記結束は、周りに張り、そして沿って移動するシングル螺旋形の回旋を取り入れるために形成された細長い部材から作られ、結束の軸の方向はそれゆえ部材の終端領域は前記結束の軸の方向に間隔をあけて離され、それぞれの終端領域は、回旋の方向から内心に回された末端部分と、前記末端部分が前記回旋に相互接続する曲げ部を含んでおり、ここで前記終端領域は重なり合い、そして前記末端部分も、また半径方向に間隔を開けて前記結束の軸に対し使用のため相対的に離され、前記末端部分は前記軸に対し平行で張られた補強バーの一つを支えることが出来る補強結束。
【請求項２】
細長い部材はメタルワイヤで作られている請求項１記載の補強結束。
【請求項３】
結束の上り角は、細長い部材の全長に沿って、ほぼ一定である請求項１又は２記載の補強結束。
【請求項４】
内心に回された末端部分は、ほぼ、半径方向面に平行で結束軸に対し垂直である上記全ての請求項のいずれか１項記載の補強結束。
【請求項５】
螺旋形の回旋は結束軸に垂直な半径方向面内で一般に環状である上記全ての請求項のいずれか１項記載の補強結束。
【請求項６】
螺旋回旋は、結束軸に垂直な半径方向面内で一般に多角形を形成するように、複数の直線部分と、円弧状曲げ隣接した直線部分の一つと相互接続する円弧状曲げ部分を組み入れている請求項１ないし５のいずれか１項記載の補強結束。
【請求項７】
結束は、末端部分のそれぞれに隣接した直線部分、互いに傾けられた直線部分、そしてその中に半径方向の面内で回旋の内心に回された末端部分を含み、末端部分は一般に、互いに傾いている直線部分の間に形成される角度を二分する線に平行に突き出ている請求項６記載の補強結束。
【請求項８】
直線部分は均一な長さでない請求項６又は７記載の補強結束。
【請求項９】
一般に平行な複数の補強バーに対し補強結束組み立てで、補強バーに沿って配置されている先の請求項のいずれか１項に記載された複数の補強結束から形成された組み立てであって、それぞれの結束は、一つの結束の終端領域が他の隣接する結束の終端領域と重なり合って、複数の補強バーの周りに張られ、重なり合う終端領域は、重なっている終端領域の末端部分の間に設置された補強バーの一つとかみ合う補強結束の組み立て。
【請求項１０】
重なり合っている終端領域は他の一つとかみ合っている請求項９記載の補強結束の組み立て。
【請求項１１】
複数の補強バーに対する補強結束の組み立てであって、ここで結束は、補強バーの異なるサブセットの周りを張っている補強結束と、両方のそれらと関係するサブセットと共通の補強バーの周りに張られる隣接する補強結束と、並んで設置され、ここで隣接する補強結束に対して、補強結束の一つの終端領域はそれぞれ複数の補強バーの一つとかみ合い、補強バーに沿って間隔を開けられた結束と他の隣接する結束の終端領域とは、隣接する結束の終端領域との間の補強バーにかみ合うものである請求項１ないし８のいずれか１項記載の補強結束の複数により構成される組み立て。
【国際調査報告】
2005533202.tif 000030
2005533202.tif 000031
2005533202.tif 000032